(57)【要約】      （修正有）【課題】消費電力低減モードへの移行及び消費電力低減モードからの復帰の際の時間が過大とならない画像形成装置を提供する。【解決手段】画像形成装置１の電源系統９５は、ＡＣ電源９８、ＤＣ電源系９９、及び遮断装置１００で構成されている。ＡＣ電源９８は、商用電源入力よりＤＣ出力電源Ｖ１又はＶ２を生成して出力する。遮断装置１００は、サブＣＰＵａ９１からゲート端子にハイレベルの電圧が印加されることで制御系をＤＣ電源系９９と接続し、ローレベルの電圧が印加されることで制御系とＤＣ電源系９９との接続を遮断する。サブＣＰＵａ９１は、ＡＣ電源９８の出力電圧がＶ１からＶ２に切り替えられると、遮断装置１００のゲート端子にローレベルの電圧を印加する。また、サブＣＰＵａ９１は、ＡＣ電源９８の出力電圧がＶ１からＶ２に切り替えられる状態になると、遮断装置１００のゲート端子にハイレベルの電圧を印加する。【選択図】図３
2016090657.tif 000002
【特許請求の範囲】
【請求項１】
消費電力低減モード時に出力電圧を低下させる低圧電源と、定常負荷より消費電力が低い軽負荷モードで動作する制御系とをもつ画像形成装置において、
消費電力低減モードへの移行時に前記低圧電源による出力電圧が消費電力低減モード時の出力電圧へ低下したのを確認する電圧低下確認手段と、
該電圧切替確認手段が出力電圧の低下を確認すると前記制御系の負荷状態を軽負荷モードに切り替える軽負荷モード切替手段とを備えることを特徴とする画像形成装置。
【請求項２】
前記電圧低下確認手段、及び、前記軽負荷モード切替手段は、ＣＰＵが備えることを特徴とする請求項１に記載の画像形成装置。
【請求項３】
消費電力低減モード時に出力電圧を低下させる低圧電源と、定常負荷より消費電力が低い軽負荷モードで動作する制御系とをもつ画像形成装置において、
消費電力低減モードからの復帰時に前記制御系の負荷状態を定常負荷モードに切り替える定常負荷切替手段と、
該定常負荷切替手段による負荷状態の切り替えを確認すると前記低圧電源による出力電圧を定格出力電圧へ切り替える出力電圧切替手段とを備えることを特徴とする画像形成装置。
【請求項４】
前記出力電圧切替手段が出力電圧を定格出力電圧へ切り替えた後、暖機運転を開始する暖機運転開始手段を備えることを特徴とする請求項３に記載の画像形成装置。
【請求項５】
前記定常負荷切替手段、及び、前記出力電圧切替手段は、ＣＰＵが備えることを特徴とする請求項３又は４に記載の画像形成装置。
【請求項６】
消費電力低減モード時に出力電圧を低下させる低圧電源と、定常負荷より消費電力が低い軽負荷モードで動作する制御系とをもつ画像形成装置において、
消費電力低減モードへの移行時に前記低圧電源による出力電圧が消費電力低減モード時の出力電圧へ低下したのを確認する電圧低下確認手段と、
該電圧切替確認手段が出力電圧の低下を確認すると前記制御系の負荷状態を軽負荷モードに切り替える軽負荷モード切替手段と、
消費電力低減モードからの復帰時に前記制御系の負荷状態を定常負荷モードに切り替える定常負荷切替手段と、
該定常負荷切替手段による負荷状態の切り替えを確認すると前記低圧電源による出力電圧を定格出力電圧へ切り替える出力電圧切替手段とを備えることを特徴とする画像形成装置。
【発明の詳細な説明】
【技術分野】
【０００１】
本発明は、消費電力低減モード時に出力電圧を低下させる画像形成装置に関する。
【背景技術】
【０００２】
画像形成装置には、スリープモードに代表される消費電力低減モード時に出力電圧を低下させることで電源系統トータルの変換効率を向上させる機能を持ったものがある。この種の画像形成装置では、フィードバック制御の基準電圧を制御信号によって切り替えることで、低圧電源の出力電圧の切り替えを実現している。
【０００３】
このため、低圧電源の出力電圧を定格出力電圧からスリープモード時の出力電圧へ切り替える際や、スリープモード時の出力電圧から定格出力電圧へ切り替える際に負荷が軽すぎると、出力電圧のオーバーシュートやアンダーシュートを収束できなくなって、出力電圧の発振が起きる。また、アンダーシュート幅が過大な場合は出力ダウンとなる。このように、従来の画像形成装置では、低圧電源出力電圧の発振に起因する電圧変動やそれにもとづく高周波音、または出力ダウン等の不良が発生するという問題があった。
【０００４】
このため、下記の特許文献１に示す画像形成装置では、スリープモードからの復帰時にフィードバック制御の基準電圧をスロースタートさせることで、出力電圧のオーバーシュート対策としている。
【先行技術文献】
【特許文献】
【０００５】
【特許文献１】特開２００５−１６８１７３号公報
【発明の概要】
【発明が解決しようとする課題】
【０００６】
しかしながら、フィードバック制御の基準電圧をスロースタートさせることで、低圧電源の出力電圧に生じるオーバーシュートを防止する場合には、スロースタートの時間に製造バラツキを考慮したマージンを含める必要があるため、モード切替時間が過大となり易かった。
【０００７】
本発明は斯かる課題に鑑みてなされたもので、上記課題を解決できる画像形成装置を提供することを目的とする。
【課題を解決するための手段】
【０００８】
このような目的を達成するために、本発明の画像形成装置は、消費電力低減モード時に出力電圧を低下させる低圧電源と、定常負荷より消費電力が低い軽負荷モードで動作する制御系とをもつ画像形成装置において、消費電力低減モードへの移行時に前記低圧電源による出力電圧が消費電力低減モード時の出力電圧へ低下したのを確認する電圧低下確認手段と、該電圧切替確認手段が出力電圧の低下を確認すると前記制御系の負荷状態を軽負荷モードに切り替える軽負荷モード切替手段とを備えることを特徴とする。
また、本発明は、前記電圧低下確認手段、及び、前記軽負荷モード切替手段は、ＣＰＵが備えることを特徴とする。
また、本発明は、消費電力低減モード時に出力電圧を低下させる低圧電源と、定常負荷より消費電力が低い軽負荷モードで動作する制御系とをもつ画像形成装置において、消費電力低減モードからの復帰時に前記制御系の負荷状態を定常負荷モードに切り替える定常負荷切替手段と、該定常負荷切替手段による負荷状態の切り替えを確認すると前記低圧電源による出力電圧を定格出力電圧へ切り替える出力電圧切替手段とを備えることを特徴とする。
また、本発明は、前記出力電圧切替手段が出力電圧を定格出力電圧へ切り替えた後、暖機運転を開始する暖機運転開始手段を備えることを特徴とする。
また、本発明は、前記定常負荷切替手段、及び、前記出力電圧切替手段は、ＣＰＵが備えることを特徴とする。
また、本発明は、消費電力低減モード時に出力電圧を低下させる低圧電源と、定常負荷より消費電力が低い軽負荷モードで動作する制御系とをもつ画像形成装置において、消費電力低減モードへの移行時に前記低圧電源による出力電圧が消費電力低減モード時の出力電圧へ低下したのを確認する電圧低下確認手段と、該電圧切替確認手段が出力電圧の低下を確認すると前記制御系の負荷状態を軽負荷モードに切り替える軽負荷モード切替手段と、消費電力低減モードからの復帰時に負荷状態を定常負荷モードに切り替える定常負荷切替手段と、該定常負荷切替手段による前記制御系の負荷状態の切り替えを確認すると前記低圧電源による出力電圧を定格出力電圧へ切り替える出力電圧切替手段とを備えることを特徴とする。
【発明の効果】
【０００９】
本発明によれば、低圧電源による出力電圧の低下を確認してから軽負荷モードに切り替え、又は、定常負荷モードに切り替えてから出力電圧を定格出力電圧へ切り替えることで、出力電圧の切り替えを安定して行うことができ、電圧不安定や高周波異音、出力ダウンなどのトラブルを抑止できる。このため、消費電力低減モードへの移行時又は復帰時に電源電圧を不安定にさせることなく、モード切替時間の短縮を図ることができる。
【図面の簡単な説明】
【００１０】
【図１】本発明の一実施形態の画像形成装置を示す図である。
【図２】図１の画像形成装置の制御系統の構成図である。
【図３】図１の画像形成装置の電源系統の構成図である。
【図４】図１の画像形成装置によるモード切替時の動作のタイミングチャートである。
【発明を実施するための形態】
【００１１】
＜実施の形態＞
〔画像形成装置１の構成〕
まず、図１を参照して、本発明の実施の形態に係る画像形成装置１の構成について詳しく説明する。
図１によると、本実施の形態の画像形成装置１は、原稿読取部２と、原稿給送部３と、本体部４と、スタックトレイ５と、操作パネル部６（入力手段）とを備えている。
原稿読取部２は、本体部４の上方に配設され、原稿給送部３は、原稿読取部２の上方に配設されている。スタックトレイ５は、本体部４に設けられた記録紙の排出口４１側に配設され、また、操作パネル部６は、本体部４のフロント側に配設されている。
【００１２】
原稿読取部２は、スキャナー２１と、プラテンガラス２２と、原稿読取スリット２３とを備える。スキャナー２１は、露光ランプ、及びＣＣＤ(Charge Coupled Device)やＣＭＯＳ（Complementary Metal Oxide Semiconductor）撮像センサ等から構成され、原稿給送部３による原稿の搬送方向に移動可能に構成されている。プラテンガラス２２は、ガラス等の透明部材により構成された原稿台である。原稿読取スリット２３は、原稿給送部３による原稿の搬送方向と直交方向に形成されたスリットを有する。
【００１３】
プラテンガラス２２に載置された原稿を読み取る場合には、スキャナー２１は、プラテンガラス２２に対向する位置に移動され、プラテンガラス２２に載置された原稿を走査しながら原稿を読み取って画像データを取得して、取得した画像データを本体部４の制御回路に備わる画像形成プロセス手段９４（図２）に出力する。
また、原稿給送部３により搬送された原稿を読み取る場合には、スキャナー２１は、原稿読取スリット２３と対向する位置に移動され、原稿読取スリット２３を介し、原稿給送部３による原稿の搬送動作と同期して原稿を読み取って画像データを取得し、取得した画像データを本体部４の制御回路に備わる画像形成プロセス手段９４（図２）に出力する。
【００１４】
原稿給送部３は、原稿載置部３１と、原稿排出部３２と、原稿搬送機構３３とを備えている。原稿載置部３１に載置された原稿は、原稿搬送機構３３によって、１枚ずつ順に繰り出されて原稿読取スリット２３に対向する位置へ搬送され、その後、原稿排出部３２に排出される。なお、原稿給送部３は、可倒式に構成され、原稿給送部３を上方に持ち上げることで、プラテンガラス２２の上面を開放させることができる。
【００１５】
本体部４は、画像形成部７（画像形成手段）を備えると共に、給紙部４２と、用紙搬送路４３と、搬送ローラー対４４と、排出ローラー対４５とを備えている。給紙部４２は、それぞれサイズ又は向きが異なる記録紙を収納する複数の給紙カセット４２１と、給紙カセット４２１から記録紙を１枚ずつ用紙搬送路４３に繰り出す給紙ローラー４２２とを備えている。
給紙ローラー４２２、搬送ローラー対４４、及び排出ローラー対４５は、搬送部として機能する。記録紙は、この搬送部により搬送される。給紙ローラー４２２によって用紙搬送路４３に繰り出された記録紙は、搬送ローラー対４４によって画像形成部７に搬送される。
そして、画像形成部７によって記録が施された記録紙は、排出ローラー対４５によってスタックトレイ５に排出される。
【００１６】
操作パネル部６は、ＬＣＤ等の表示部と、スタートキー、テンキー、複写／ＦＡＸ送信／スキャナー等の動作モードの切り換えボタンと、印刷、送信、受信、保存、又は記録に関する指示を行うためのボタンやタッチパネル等とを含む入力部を備えている。つまり、操作パネル部６は、ユーザーによる画像形成装置１のこれらの各種ジョブの指示入力を受け付ける。また、操作パネル部６は、ユーザーによるパスワード等の認証入力を受け付ける。
【００１７】
画像形成部７は、感光体ドラム７１と、露光部７２と、現像部７３と、転写部７４と、定着装置８とを備えている。露光部７２は、レーザー装置やミラーやレンズ等を備えた光学ユニットであり、画像データに基づいた光を出力して感光体ドラム７１を露光し、感光体ドラム７１の表面に静電潜像を形成する。現像部７３は、トナーを用いて感光体ドラム７１に形成された静電潜像を現像する現像ユニットであり、静電潜像に基づいたトナー像を感光体ドラム７１上に形成させる。
転写部７４は、現像部７３によって感光体ドラム７１上に形成されたトナー像を記録紙に転写させる。定着装置８は、転写部７４によってトナー像が転写された記録紙を加熱してトナー像を記録紙に定着させる。
【００１８】
次に、画像形成装置１の回路構成について説明する。
図２は、画像形成装置１の制御系統の構成図である。
画像形成装置１は、メインＣＰＵ９０と、サブＣＰＵａ９１と、サブＣＰＵｂ９２と、操作部ＣＰＵ９３と、画像形成プロセス手段９４と、電源系統９５とを備えている。
【００１９】
画像形成プロセス手段９４は、原稿読取部２,原稿給送部３,本体部４,スタックトレイ５,画像形成部７,定着装置８に備えられた制御系であり、電源系統９５から電源供給を受けて動作する手段である。操作部ＣＰＵ９３は、操作パネル部６が備える入力部への操作を受け付けると共に、表示部への画像表示を行うためのものである。
【００２０】
メインＣＰＵ９０は、画像形成に用いられる印刷データの処理の他、サブＣＰＵａ９１，サブＣＰＵｂ９２，及び操作部ＣＰＵ９３の動作の制御を行うためのものである。サブＣＰＵａ９１は、ホストシステムからＵＳＢ９６，ＬＡＮ９７等のインターフェースを通じて送信される印刷要求及び印刷データを受信する他、後述する電源系統９５の監視及び電圧コントロールを含む電源系統９５の制御を行うためのものである。サブＣＰＵｂ９２は、画像形成プロセス手段９４を構成する制御系の動作を制御するためのものである。
【００２１】
図３は、画像形成装置１の電源系統９５の構成図である。
画像形成装置１の電源系統９５は、ＡＣ電源９８、ＤＣ電源系９９、及び遮断装置１００で構成されている。
ＡＣ電源９８は、商用電源入力よりＤＣ出力電源Ｖ１又はＶ２を生成して出力する。本実施形態では、Ｖ１（定常消費電力モード時）が２４［Ｖ］、Ｖ２（消費電力低減モード時）が８［Ｖ］となっている。
【００２２】
ＤＣ電源系９９は、ＡＣ電源９８の出力Ｖ１又はＶ２から出力Ｖｎを出力する。ｎは、制御系が必要とする直流電源の電源種であり、本実施形態では３〜６の４つの電源種が設けられている。つまり、本実施形態では、Ｖ１出力時において、直流電圧Ｖ３＝５［Ｖ］，直流電圧Ｖ４＝３．３［Ｖ］，直流電圧Ｖ５＝１．８［Ｖ］，直流電圧Ｖ６＝０．９［Ｖ］の電圧で駆動される制御系が備えられている。
【００２３】
遮断装置１００は、Ｖ１〜Ｖｎの何れか又は全ての制御系に対応して設置されている。遮断装置１００は、対応する制御系への電源供給を遮断するためのものであり、本実施形態では、ＭＯＳ型ＦＥＴで構成されている。遮断装置１００は、サブＣＰＵａ９１からゲート端子にハイレベルの電圧が印加されることで制御系をＤＣ電源系９９と接続し、ローレベルの電圧が印加されることで制御系とＤＣ電源系９９との接続を遮断する。
【００２４】
サブＣＰＵａ９１は、消費電力低減モードへの移行時にＡＣ電源９８（低圧電源）による出力電圧が消費電力低減モード時の出力電圧へ低下したのを確認する。また、サブＣＰＵａ９１は、消費電力低減モードへの移行時にＡＣ電源９８による出力電圧の低下を確認すると負荷状態を軽負荷モード（メインＣＰＵ９０，操作部ＣＰＵ９３，及びサブＣＰＵｂ９２の他、画像形成プロセス手段９４を含む周辺デバイスが低消費電力状態となるモード）に切り替える。
【００２５】
つまり、サブＣＰＵａ９１は、ＡＣ電源９８の出力電圧を常時監視しており、ＡＣ電源９８の出力電圧がＶ１からＶ２に切り替えられるのを確認すると、遮断装置１００のゲート端子にローレベルの電圧を印加する。これにより、遮断装置１００に接続された制御系への電源供給が遮断され、メインＣＰＵ９０，操作部ＣＰＵ９３，及びサブＣＰＵｂ９２の他、画像形成プロセス手段９４を含む周辺デバイス、つまり、ホストシステムとの通信に不要なデバイスが低消費電力状態となる（制御系の消費電力が軽負荷モードになる）。
【００２６】
また、サブＣＰＵａ９１は、消費電力低減モード時にホストシステムからの印刷要求を受信すると、メインＣＰＵ９０に必要なデータを送信した後、消費電力低減モードから復帰するための処理を実行するようになっている。具体的には、消費電力低減モードからの復帰時に、サブＣＰＵａ９１は、負荷状態を軽負荷モードから定常負荷モード（メインＣＰＵ９０，操作部ＣＰＵ９３，及びサブＣＰＵｂ９２の他、画像形成プロセス手段９４を含む周辺デバイスが定常の負荷状態となるモード）に切り替える。また、サブＣＰＵａ９１は、消費電力低減モードからの復帰時に負荷状態が定常負荷モードに切り替わったのを確認すると、ＡＣ電源９８による出力電圧を定格出力電圧へ切り替える。
【００２７】
つまり、サブＣＰＵａ９１は、ＵＳＢ９６又はＬＡＮ９７を通してホストシステムからの印刷要求を受信すると、遮断装置１００のゲート端子にハイレベルの電圧を印加する。これにより、定常負荷モードでは、遮断装置１００に接続された制御系へ電源が供給され、メインＣＰＵ９０，操作部ＣＰＵ９３，及びサブＣＰＵｂ９２の他、画像形成プロセス手段９４を含む周辺デバイスが定常消費電力モードとなる。その後、サブＣＰＵａ９１は、メインＣＰＵ９０及びサブＣＰＵｂ９２との通信でＡＣ電源９８の出力電圧がＶ２からＶ１に切り替えられる状態になったのを確認すると、ＡＣ電源９８に出力電圧をＶ２からＶ１に切り替えるための信号を供給する。
【００２８】
サブＣＰＵｂ９２は、サブＣＰＵａ９１がＤＣ出力電源を定格出力電圧Ｖ１へ切り替えた後、画像形成プロセス手段９４の暖機運転を開始する暖機運転開始手段となっている。
【００２９】
次に、画像形成装置１の消費電力低減モードへの移行時及び消費電力低減モードからの復帰時の動作を説明する。
画像形成装置１を消費電力低減モードに移行させる条件が時刻Ｔ１に成立すると、サブＣＰＵａ９１は、ＡＣ電源９８に出力電圧をＶ１からＶ２に切り替えるための信号を供給する（ＯＮからＯＦＦに信号を切り替える。）（図４（ｂ）参照）。ＡＣ電源９８は、この信号を受信すると出力電圧をＶ１からＶ２に切り替える動作を行う。
【００３０】
サブＣＰＵａ９１は、時刻Ｔ２にＡＣ電源９８による切替動作が完了してＡＣ電源９８の出力電圧がＶ１からＶ２に切り替わったのを確認すると（図４（ｃ）参照）、ホストシステムとの通信に不要な制御系に接続された遮断装置１００のゲート端子にローレベルの電圧を印加する（図４（ｄ）参照）。これにより、遮断装置１００がホストシステムとの通信に不要なデバイスへの電源供給を遮断し、時刻Ｔ３にこれらのデバイスが低消費電力状態となる（図４（ｅ）参照）。
【００３１】
サブＣＰＵａ９１は、消費電力低減モード時の時刻Ｔ４にホストシステムからの印刷要求を受信すると（図４（ａ）参照）、ホストシステムとの通信に不要な制御系に接続された遮断装置１００のゲート端子にハイレベルの電圧を印加する（図４（ｄ）参照）。これにより、遮断装置１００がホストシステムとの通信に不要なデバイスへの電源供給を再開し、これらのデバイスが低消費電力状態から復帰する。
【００３２】
サブＣＰＵａ９１は、デバイスが低消費電力状態から復帰してＡＣ電源９８の出力電圧がＶ２からＶ１に切り替えられる状態になったのをメインＣＰＵ９０及びサブＣＰＵａ９１との通信で時刻Ｔ５に確認すると（図４（ｅ）参照）、ＡＣ電源９８に出力電圧をＶ２からＶ１に切り替えるための信号を供給する（図４（ｂ）参照）。ＡＣ電源９８は、この信号を受信すると出力電圧をＶ２からＶ１に切り替える動作を行う。なお、時刻Ｔ３〜時刻Ｔ５が軽負荷モード期間となる。
【００３３】
サブＣＰＵａ９１は、時刻Ｔ６にＡＣ電源９８による切替動作が完了してＡＣ電源９８の出力電圧がＶ１からＶ２に切り替わったのを確認すると（図４（ｃ）参照）、サブＣＰＵｂ９２にそのことを通信で伝達する。これを受信したサブＣＰＵｂ９２は、画像形成プロセス手段９４の暖機運転を開始する。なお、時刻Ｔ２〜時刻Ｔ６が消費電力低減モード期間となる。
【００３４】
以上のように構成することで、以下のような効果を得ることができる。
本実施形態によれば、ＡＣ電源９８による出力電圧の低下を確認してから制御系の負荷状態を軽負荷モードに切り替え、又、制御系の負荷状態を定常負荷モードに切り替えてから出力電圧を定格出力電圧へ切り替えることで、ＡＣ電源９８による出力電圧の切り替えを安定して行うことができ、電圧不安定や高周波異音、出力ダウンなどのトラブルを抑止できる。このため、消費電力低減モードへの移行時又は復帰時に電源電圧を不安定にさせることなく、モード切替時間の短縮を図ることができる。
【００３５】
本実施形態の画像形成装置１は、消費電力低減モード時に出力電圧を低下させるＡＣ電源９８（低圧電源）と、定常負荷より消費電力が低い軽負荷モードで動作する制御系とをもつ画像形成装置１において、消費電力低減モードへの移行時にＡＣ電源９８（低圧電源）による出力電圧が消費電力低減モード時の出力電圧へ低下したのを確認するサブＣＰＵａ９１（電圧低下確認手段）と、該電圧切替確認手段が出力電圧の低下を確認すると負荷状態を軽負荷モードに切り替えるサブＣＰＵａ９１（軽負荷モード切替手段）とを備えることを特徴とする。
本発明の画像形成装置１は、前記電圧低下確認手段、及び、前記軽負荷モード切替手段は、ＣＰＵが備えることを特徴とする。
本発明の画像形成装置１は、消費電力低減モード時に出力電圧を低下させるＡＣ電源９８（低圧電源）と、定常負荷より消費電力が低い軽負荷モードで動作する制御系とをもつ画像形成装置１において、消費電力低減モードからの復帰時に負荷状態を定常負荷モードに切り替えるサブＣＰＵａ９１（定常負荷切替手段）と、該定常負荷切替手段による負荷状態の切り替えを確認すると低圧電源による出力電圧を定格出力電圧へ切り替えるサブＣＰＵａ９１（出力電圧切替手段）とを備えることを特徴とする。
本発明の画像形成装置１は、前記出力電圧切替手段が出力電圧を定格出力電圧へ切り替えた後、暖機運転を開始するサブＣＰＵｂ９２（暖機運転開始手段）を備えることを特徴とする。
本発明の画像形成装置１は、前記定常負荷切替手段、及び、前記出力電圧切替手段は、ＣＰＵが備えることを特徴とする。
本発明の画像形成装置１は、消費電力低減モード時に出力電圧を低下させるＡＣ電源９８（低圧電源）と、定常負荷より消費電力が低い軽負荷モードで動作する制御系とをもつ画像形成装置１において、消費電力低減モードへの移行時に低圧電源による出力電圧が消費電力低減モード時の出力電圧へ低下したのを確認するサブＣＰＵａ９１（電圧低下確認手段）と、該電圧切替確認手段が出力電圧の低下を確認すると負荷状態を軽負荷モードに切り替えるサブＣＰＵａ９１（軽負荷モード切替手段）と、消費電力低減モードからの復帰時に負荷状態を定常負荷モードに切り替えるサブＣＰＵａ９１（定常負荷切替手段）と、該定常負荷切替手段による負荷状態の切り替えを確認すると低圧電源による出力電圧を定格出力電圧へ切り替えるサブＣＰＵａ９１（出力電圧切替手段）とを備えることを特徴とする。
【００３６】
なお、上記実施形態では、メインＣＰＵ９０，操作部ＣＰＵ９３，及びサブＣＰＵｂ９２の他、画像形成プロセス手段９４を含む、ホストシステムとの通信に不要なデバイスに対する供給電源を遮断することで、これらのデバイスを低消費電力状態とした場合について説明した。しかしながら、デバイスを低消費電力状態とする方法は任意であり、メインＣＰＵ９０，操作部ＣＰＵ９３，及びサブＣＰＵｂ９２に対するリセット又は供給クロックの停止の他、デバイスの低消費電力動作モードへの移行やメモリー開放，リセットによる動作停止等で低消費電力状態とすることもできる。
【００３７】
また、上記実施形態では、サブＣＰＵａ９１がホストシステムから送信される印刷要求及び印刷データの受信、及び電源系統９５の監視・制御を行う場合について説明した。しかしながら、サブＣＰＵａ９１が制御系の動作制御や操作パネル部６が備える入力部への操作を受け付ける構成としても良い。また、画像形成装置１がメインＣＰＵ９０のみを備え、サブＣＰＵａ９１，サブＣＰＵｂ９２，及び操作部ＣＰＵ９３が実行していた処理をメインＣＰＵ９０が実行する構成としてもよい。
【００３８】
また、上記実施の形態の構成及び動作は例であって、本発明の趣旨を逸脱しない範囲で適宜変更して実行することができることは言うまでもない。
【符号の説明】
【００３９】
１  画像形成装置
２  原稿読取部
３  原稿給送部
４  本体部
５  スタックトレイ
６  操作パネル部
７  画像形成部
８  定着装置
２１  スキャナー
２２  プラテンガラス
２３  原稿読取スリット
３１  原稿載置部
３２  原稿排出部
３３  原稿搬送機構
４１  排出口
４２  給紙部
４３  用紙搬送路
４４  搬送ローラー対
４５  排出ローラー対
７１  感光体ドラム
７２  露光部
７３  現像部
７４  転写部
９０  メインＣＰＵ
９１  サブＣＰＵａ
９２  サブＣＰＵｂ
９３  操作部ＣＰＵ
９４  画像形成プロセス手段
９５  電源系統
９６  ＵＳＢ
９７  ＬＡＮ
９８  ＡＣ電源
９９  ＤＣ電源系
１００  遮断装置
４２１  給紙カセット
４２２  給紙ローラー
【図１】
2016090657.tif 000003
【図２】
2016090657.tif 000004
【図３】
2016090657.tif 000005
【図４】
2016090657.tif 000006